(57)【特許請求の範囲】
【請求項１】
表裏両面に扁平形状を有する砂片により形成される無機質層を圧着形成した基部とタブを具え、敷設時に屋根下地部に接合される前記基部上に前記タブを重ね合わせるようにして順次屋根葺きをなすアスファルトシングルあるいは不燃シングルからなる屋根仕上げ材において、
前記いずれかのシングル裏面にあって、タブ先端近傍および基部の所定位置には接着効果が外気温に左右されることの少ない改質アスファルト系（ブチルゴム改質アスファルト、ＳＢＳ系ゴム改質アスファルト等）粘着剤またはアクリル系粘着剤により屋根下地およびシングル表面に接着する粘着剤層が形成され、これら両粘着剤層に隣接して剥離シートが貼付され、前記各粘着剤層および各剥離シートの形成位置は、前記いずれかのシングルの裏面相互を対向させての重ね合わせ時に、各粘着剤層の表面を剥離シートが被覆するように設定されてなることを特徴とする屋根仕上げ材。
【請求項２】
請求項１記載の屋根仕上げ材において、扁平形状を有する砂片は薄層状に積層構造を有する凝灰質頁岩から得たもので構成し、タブ裏面における粘着剤層は、タブの一端から他端まで連続する直線帯状部として形成するとともに、基部裏面に下地粘着材層を形成してこの下地粘着材層は基部の一端から他端まで連続する直線帯状部としたことを特徴とする屋根仕上げ材。
【請求項３】
請求項２に係る屋根仕上げ材による屋根葺き構造であって、前記下地粘着剤層を介して基部を屋根下地部に固着した勾配方向下流側の屋根仕上げ材と、この下流側の屋根仕上げ材の基部に重ねあわせてタブ裏面の粘着剤層を介してタブを固着するとともに下地粘着剤層を介して基部を屋根下地部に固着した勾配方向上流側の屋根仕上げ材とからなり、勾配方向下流側から上流側に順次屋根仕上げ材を敷設するようにしたことを特徴とする屋根葺き構造。
【発明の詳細な説明】
【０００１】
【発明の属する技術分野】
本願発明は、建物の勾配屋根の表面に敷設される屋根仕上げ材とこれによる屋根葺き構造に関し、詳しくは予め粘着層が形成されたアスファルトシングルまたは不燃シングルとこれらによる屋根葺き構造に関するものである。
【０００２】
【従来の技術】
屋根仕上げ材としてのいわゆるシングルには、従来、基材のガラス繊維にアスファルトを含浸し表面に着色砂等を圧着させたアスファルトシングル、基材のガラス繊維の両面に無機質充填材と樹脂材との混合層を形成し表面に鉱物砂が圧着された不燃シングル等がある。  これらの屋根仕上げ材の取り付けは、木質系下地の場合は釘打ちと接着剤の併用、下地が釘打ちに適しない場合には接着剤によりなされている。
【０００３】
シングルは、セメント系かわらや焼き物かわら等にくらべて、薄手かつ軽量であり、しかも、熱可塑性を有するから若干の加熱により柔軟性を帯びるので、変形した下地、例えば曲線的な下地にもなじみ良く使用できる長所を有している。  また、表面には砕石粒、砂等の鉱物質層が形成されているので耐候性に優れる等の利点も有している。
【０００４】
従来この種のシングルとして、例えば図７の（ａ）、（ｂ）、（ｃ）に示すものが知られている。  図７（ａ）において、ガラス繊維にアスファルトを含浸してなる基層２を有するシングル１の表面には着色砂等を圧着させた表面層３が形成されている。このようなシングル１による屋根葺きは、施工現場でシングル１の裏面に溶融アスファルトを塗布して屋根下地に勾配方向の下流側から順次敷設することによりなされている。
【０００５】
図７（ｂ）に示すシングルは、上記図７（ａ）に示すシングル１の表面層３の所定位置にストレートアスファルトからなる接着剤層４が形成され、裏面にはシングル１の積層時等に裏面と表面層３とが接合した際に接着剤層４に当接してこれを保護するフィルム５が張設されている。施工にあたっては、下流側のシングル１に上流側のシングル１の半部以上を重ねあわせるようにして接着剤層４を介して両シングルが接合するように敷設していく。
【０００６】
図７（ｃ）に示すシングルは、上記図７（ａ）に示すシングル１の裏面端部に自着性を有する粘着剤層６を形成し、この粘着剤層６の表面にはフィルムその他容易に剥離する保護シート７を貼付してある。施工時には、保護シート７を剥離して、前述のように順次に屋根葺きをなしていく。
【０００７】
【発明が解決しようとする課題】
しかしながら、前記従来のシングルには次のような不都合があった。  すなわち、図７（ａ）に示すものでは、施工現場で溶融アスファルトをシングル裏面に塗布して屋根下地部に固着する工法が一般的であり、施工効率が悪い、シングルをアスファルトで汚損することがある等の不都合があるうえ、高温のアスファルトを使用するため危険性も伴っていた。
【０００８】
また、図７（ｂ）に示すものでは、接着剤層がストレートアスファルトにより形成される、いわゆるセルフシールと称されるもので、例えば摂氏６０度以上の温度環境が所定時間継続することで接着効果を生じ、施工初期あるいは低温環境での接着性を期待できない。
【０００９】
さらに、図７（ｃ）に示すものは、施工にあたり保護シート７を剥離した上で作業をなす必要があり、施工効率に難があるうえ保護シート７が要処理廃棄物として大量に発生するという問題がある。
【００１０】
一方、シングルの下地への取り付け敷設には、その特性上、シングルの上方と下方の２か所で固定する必要があり、上方は下地からの脱落防止、下方は風の煽りに対処するため重ねた下段のシングルに固定するようにしていた。
そして、例えば、釘打ちのできないコンクリート系下地の場合にシングルの上方部の下地への固定は、溶融アスファルト、アスファルト系接着剤、溶剤型接着剤等を施工現場で所要箇所に塗布することによりなされている。
【００１１】
しかしながら、溶融アスファルトは高熱液状であり、勾配を有する施工現場での作業には、安全性や溶融アスファルトのシングルへの滴下による汚損等の問題があった。
また、シングル下方におけるシングル相互の重なり合い部分の固定は、アスファルト系接着剤でなされているが、これに使用されるアスファルトはストレート系材であるため低温環境では所定の接着力を得られず、釘打ちによらざるを得ないことがあり、施工能率阻害の要因となっていた。
【００１２】
溶融アスファルトやアスファルト系接着剤に対して、溶剤型接着剤の場合には上記不都合は回避できるが、新たな問題が発生する。  すなわち、溶剤が揮発するまでの間は硬化せず接着力が得られない。したがって。急勾配の屋根において施工する場合は、硬化するまでの間に屋根材がズリ落ちてしまうので釘打ちその他の固定手段を併用せざるを得ないのである。
【００１３】
【課題を解決するための手段】
本願発明は、  表裏両面に扁平形状を有する砂片により形成される無機質層を圧着形成した基部とタブを具え、敷設時に屋根下地部に接合される前記基部上に前記タブを重ね合わせるようにして順次屋根葺きをなすアスファルトシングルあるいは不燃シングルからなる屋根仕上げ材において、
前記いずれかのシングル裏面にあって、タブ先端近傍および基部の所定位置には接着効果が外気温に左右されることの少ない改質アスファルト系（ブチルゴム改質アスファルト、ＳＢＳ系ゴム改質アスファルト等）粘着剤またはアクリル系粘着剤により屋根下地およびシングル表面に接着する粘着剤層が形成され、これら両粘着剤層に隣接して剥離シートが貼付され、前記各粘着剤層および各剥離シートの形成位置は、前記いずれかのシングルの裏面相互を対向させての重ね合わせ時に、各粘着剤層の表面を剥離シートが被覆するように設定されてなる屋根仕上げ材を提供して上記従来の課題を解決しようとするものである。
【００１４】
また、上記の屋根仕上げ材において、扁平形状を有する砂片は薄層状に積層構造を有する凝灰質頁岩から得たもので構成し、タブ裏面における粘着剤層は、タブの一端から他端まで連続する直線帯状部として形成するとともに、基部裏面に下地粘着材層を形成してこの下地粘着材層は基部の一端から他端まで連続する直線帯状部となすことがある。
【００１５】
さらに、本願発明は、上記に係る屋根仕上げ材による屋根葺き構造であって、前記下地粘着剤層を介して基部を屋根下地部に固着した勾配方向下流側の屋根仕上げ材と、この下流側の屋根仕上げ材の基部に重ねあわせてタブ裏面の粘着剤層を介してタブを固着するとともに下地粘着剤層を介して基部を屋根下地部に固着した勾配方向上流側の屋根仕上げ材とからなり、勾配方向下流側から上流側に順次屋根仕上げ材を敷設するようにした屋根葺き構造を提供して上記従来の課題を解決する。
【００１６】
【発明の実施形態】
以下、本願発明の実施形態を説明する。
図１は、本願発明の第１実施形態に係る屋根仕上げ材としてのアスファルトシングルの裏面図であり、図２は図１におけるＡ−Ａ線断面図である。
図において、１１は周知のアスファルトシングルであり、平板状に形成されたこのアスファルトシングル１１は、ガラス繊維等の柔軟な基材にアスファルトを含浸塗覆させてなる芯層部１２と、この芯層部１２の両面にそれぞれ形成された表面層１３および裏面層１４とからなっており、敷設時に屋根下地部に接合される基部１５とこれと一体に形成されるタブ１６とを具えている。勾配屋根において、下流側のアスファルトシングル１１の前記基部１５には上流側のアスファルトシングル１１のタブ１６が重ね合わせとなるように敷設される。
【００１７】
アスファルトシングル１１の裏面において、前記基部１５の所定位置には剥離シート１７が形成され、前記タブ１６の下端近傍には粘着剤層１８が形成されている。  前記剥離シート１７は、図３に示すように屋根仕上げ材の裏面相互を対向させての重ね合わせ時に、前記粘着剤層１８を被覆して粘着を防止できるように屋根仕上げ材の前記基部の所定位置に貼設されている。  このように積層されたシングル１１、１１の引き剥しは、前記剥離シート１７の剥離性により容易になすことができる。
なお、粘着剤層１８は、接着効果が外気温に左右されることの少ない改質アスファルト系（ブチルゴム改質アスファルト、ＳＢＳ系ゴム改質アスファルト等）粘着剤またはアクリル系粘着剤から選択される。
【００１８】
図４は、本願発明の第２実施形態に係る屋根仕上げ材としてのアスファルトシングルの裏面図である。
この実施形態において、シングル１１の裏面にはそれぞれ一対の粘着剤層および剥離シートが設けられている。  すなわち、シングル１１のタブ１６先端近傍には粘着剤層１８が、また、シングル１１の基部１５の所定位置には粘着剤層１９が形成されている。  そして、前記各粘着剤層１８、１９に隣接して剥離シート２０、２０が貼付されている。  なお、その他の構成は、前記第１実施形態と同様である。
【００１９】
そして、各粘着剤層１８、１９および剥離シート２０、２０の形成位置は、図５に示すようにシングル１１、１１の裏面相互を対向させての重ね合わせ時に、各粘着剤層１８、１９の表面を剥離シート２０、２０が被覆するように設定されている。  このような重ね合わせが出来ることにより、シングル１１の集積、梱包、運搬、施工現場での取り扱いが極めて容易になる。  そして、重ねあわせたシングル１１、１１は、前記剥離シート１７の剥離性により簡単に引き剥すことができる。
なお、前述の実施形態と同様に粘着剤層１８、１９は、接着効果が外気温に左右されることの少ない改質アスファルト系（ブチルゴム改質アスファルト、ＳＢＳ系ゴム改質アスファルト等）粘着剤またはアクリル系粘着剤から選択される。
【００２０】
図６は、前記第２実施形態に係るシングル１１による屋根葺き構造を示す一部断面側面図である。  図において、２１は建造物の勾配屋根における下地部であり、シングル１１を使用しての屋根葺きは、この下地部２１に軒端から勾配方向上流に向かって周知の工程によりなされることになる。  すなわち、まず、下地部２１に下流側のシングル１１（図で左端）をその先端部の粘着剤層１８および後端部の粘着剤層１９により直接固定する。次いで、前記固定されたシングル１１の基部１５表面を被覆するように直近上流側のシングル１１（図で中間）のタブをその裏面に形成した粘着剤層１８により固定する一方、基部裏面はそこに形成されている粘着剤層１９により下地部２１に直接固定する。同様にして、上流側のシングル１１（図で右方）を固定し、以後同様の手順で所望数のシングル１１により屋根葺き作業がなされることになる。  このように、この屋根葺き構造では、下地部に各シングル１１が直接固定されるので、釘による固定が困難な下地における屋根葺きに最適である。
【００２１】
なお、前記各実施形態では、表面に圧着形成される無機質層は、扁平形状を有するスレート砂片で構成している。このスレート砂片は、レンズ状もしくは薄層状に積層構造を有する凝灰質頁岩等から得るものであるから、各片は、通常使用されている鉱物砂（彩色砂）に比べて扁平であり、したがって、屋根葺きにおいて、下流側シングルの基部表面に上流側のタブを重ねあわせて接合する場合、タブ裏面の粘着剤層の基部１５における表面層１３への粘着はより強固となる。
【発明の効果】
本願発明は、以上説明した構成作用により、従来の剥離フィルムのような廃棄物を現場で発生させることなく屋根葺き作業を高い効率で、しかも屋根仕上げ材を汚損することなく行うことができる。  また、釘固定等が困難な下地にも対応できるうえ、屋根仕上げ材の集積、梱包、運搬等も粘着剤層により損なわれることがない。
【図面の簡単な説明】
【図１】  本願発明の第１実施形態に係る屋根仕上げ材の裏面図である。
【図２】  図１におけるＡ−Ａ線断面図である。
【図３】  図１に示す屋根仕上げ材の裏面相互の重ねあわせ状態を示す説明図である。
【図４】  本願発明の第２実施形態に係る屋根仕上げ材の裏面図である。
【図５】  図４に示す屋根仕上げ材の裏面相互の重ねあわせ状態を示す説明図である。
【図６】  図４に示すシングルによる屋根葺き構造の一部断面側面図である。
【図７】  従来技術を示す断面図である。
【符号の説明】
１１．．．．．．屋根仕上げ材（アスファルトシングル）
１２．．．．．．芯層部
１３．．．．．．表面層
１４．．．．．．裏面層
１５．．．．．．基部
１６．．．．．．タブ
１７．．．．．．剥離シート
１８．．．．．．粘着剤層
１９．．．．．．粘着剤層
２０．．．．．．剥離シート
【図１】
0004068394.tif 000002
【図２】
0004068394.tif 000003
【図３】
0004068394.tif 000004
【図４】
0004068394.tif 000005
【図５】
0004068394.tif 000006
【図６】
0004068394.tif 000007
【図７】
0004068394.tif 000008